(57)【要約】【課題】  試料水や洗浄液などの飛沫による検出部の汚れを防止し、安定して信頼性の高い測定を行うことができる水質測定装置を提供する。【解決手段】  試料水を自然落下させるノズル５１と、落下した試料水により形成される水柱の側方に該水柱から離間して配置された発光部１２と受光部１３とを備え、発光部１２からの光を水柱に照射することで受光部１３が受光する光に基づき試料水を測定する水質測定装置１において、発光部１２および受光部１３を覆う開閉可能なシャッター部Ｔ１，Ｔ２と、シャッター部Ｔ１，Ｔ２の開閉を制御する制御部１１をもつ水質測定装置１。【選択図】図１
2014059214.tif 000002
【特許請求の範囲】
【請求項１】
試料水を自然落下させるノズルと、前記落下した試料水により形成される水柱の側方に該水柱から離間して配置された発光部と受光部とを備え、前記発光部からの光を前記水柱に照射した結果、前記受光部が受光する光に基づき前記試料水を測定する水質測定装置において、
前記発光部および前記受光部を覆う開閉可能なシャッター部と、
前記シャッター部の開閉を制御する制御部と、
を備えたことを特徴とする水質測定装置。
【請求項２】
前記制御部は、前記ノズルへの前記試料水の供給状態に応じて、前記シャッター部の開閉動作を制御することを特徴とする請求項１に記載の水質測定装置。
【請求項３】
前記ノズルの上流に配置され、差圧により前記試料水を前記ノズルへ移送するために前記試料水を一時的に貯留するヘッドタンクと、
前記ヘッドタンクに貯留された前記試料水の量を検出するセンサと、をさらに具備し、
前記制御部は、前記センサからの信号に基づき、前記シャッター部の開閉動作を制御することを特徴とする請求項１または２のいずれかに記載の水質測定装置。
【請求項４】
前記ノズルに供給される試料水の流量を測定する流量測定手段をさらに具備し、
前記制御部は、前記流量測定手段からの信号に基づき、前記シャッター部の開閉動作を制御することを特徴とする請求項１から３のいずれかに記載の水質測定装置。
【請求項５】
前記制御部は、前記ノズルの洗浄動作に連動して前記シャッター部の開閉動作を制御することを特徴とする請求項１に記載の水質測定装置。
【請求項６】
前記制御部は、前記シャッター部の開閉状態を示す信号を出力することを特徴とする請求項１から５のいずれかに記載の水質測定装置。
【発明の詳細な説明】
【技術分野】
【０００１】
本発明は、水質測定装置であって、特に、試料水を自然落下させて水質を測定する水質測定装置に関する。
【背景技術】
【０００２】
従来から、上下水、環境水、工場排水等を測定するために現場に設置され、試料の測定を自動的に行う水質測定装置が開発され製造されている。このような水質測定装置では、長期間、安定して信頼性の高い測定を、メンテナンスフリーで維持したいという要求がある。
【０００３】
しかし、特に、光学的手段により試料の測定を行う装置は、検出部（発光部および受光部）の汚れの影響を受けやすい。このため、検出部が直接試料に接することのない、非接触式の水質測定装置が実用化され、その一態様として、流水落下式の水質測定装置が存在する。
【０００４】
特許文献１は、ノズルから流水落下する被検液柱に対し光源からの光を透過させ受光セルで受光し、受光結果に基づいて液体濃度を測定する液体濃度測定装置を開示している。また、特許文献２も、ノズルから被検体液を空中に落下させ、落下途中の被検体液に光を照射し、受光した光量と予め求めた特性関係に基づいて被検体液中の水質濃度を測定する水質測定方法を開示している。
【先行技術文献】
【特許文献】
【０００５】
【特許文献１】特開昭５３−７２６９０号公報
【特許文献２】特開平６−８２３６７号公報
【発明の概要】
【発明が解決しようとする課題】
【０００６】
しかし、このような水質測定装置においては、自然落下する試料水が流れ始める場合、または、一定流量で流れていた試料水の流量が減少して水柱の形が崩れる場合、それぞれのタイミングでノズルの先端から試料水が飛び散ってしまうことがある。また、ノズル内を洗浄する際には、ノズルの先端から洗浄液や汚水が飛び散ってしまうことがある。
【０００７】
このような場合、ノズルの先端部よりも下方に配置されている発光部および受光部にこの飛沫がかかってしまうため、飛沫による汚れが原因で測定結果に誤差が生じるという問題がある。
【０００８】
本発明は、ノズルの先端から飛び散る試料水や洗浄液などの飛沫による検出部の汚れを防止し、安定して信頼性の高い測定を行うことができる水質測定装置を提供することを目的とする。
【課題を解決するための手段】
【０００９】
上記課題を解決するため、請求項１記載の発明は、試料水を自然落下させるノズルと、前記落下した試料水により形成される水柱の側方に該水柱から離間して配置された発光部と受光部とを備え、前記発光部からの光を前記水柱に照射した結果、前記受光部が受光する光に基づき前記試料水を測定する水質測定装置において、前記発光部および前記受光部を覆う開閉可能なシャッター部と、前記シャッター部の開閉を制御する制御部と、を備えたことを特徴とする水質測定装置を提供する。
【００１０】
請求項２記載の発明は、前記制御部は、前記ノズルへの前記試料水の供給状態に応じて、前記シャッター部の開閉動作を制御することを特徴とする請求項１に記載の水質測定装置を提供する。
【００１１】
請求項３記載の発明は、前記ノズルの上流に配置され、差圧により前記試料水を前記ノズルへ移送するために前記試料水を一時的に貯留するヘッドタンクと、前記ヘッドタンクに貯留された前記試料水の量を検出するセンサと、をさらに具備し、前記制御部は、前記センサからの信号に基づき、前記シャッター部の開閉動作を制御することを特徴とする請求項１または２のいずれかに記載の水質測定装置を提供する。
【００１２】
請求項４記載の発明は、前記ノズルに供給される試料水の流量を測定する流量測定手段をさらに具備し、前記制御部は、前記流量測定手段からの信号に基づき、前記シャッター部の開閉動作を制御することを特徴とする請求項１から３のいずれかに記載の水質測定装置を提供する。
【００１３】
請求項５記載の発明は、前記制御部は、前記ノズルの洗浄動作に連動して前記シャッター部の開閉動作を制御することを特徴とする請求項１に記載の水質測定装置を提供する。
【００１４】
請求項６記載の発明は、前記制御部は、前記シャッター部の開閉状態を示す信号を出力することを特徴とする請求項１から５のいずれかに記載の水質測定装置を提供する。
【発明の効果】
【００１５】
本発明によれば、ノズルの先端から試料水や洗浄液などの飛沫が飛び散るタイミングに応じてシャッターにより発光部および受光部を覆うため、試料水等の飛沫による検出部の汚れを防止することができる。このため、飛沫による検出部の汚れに起因する測定誤差が排除され、安定して信頼性の高い測定を行うことができる水質測定装置を提供することができる。
【図面の簡単な説明】
【００１６】
【図１】本発明の一実施形態に係る水質測定装置の概要を説明する概略構成図である。
【図２】図１の水質測定装置において、ヘッドタンクを備えた場合を説明する概略図である。
【図３】図１の水質測定装置において、流量計を備えた場合を説明する概略図である。
【図４】図１の水質測定装置における、シャッターの動作タイミングを説明するタイミングチャートである。
【図５】図１の水質測定装置における、シャッター動作の一例を説明するフローチャートである。
【図６】図１の水質測定装置における、シャッターと洗浄の動作タイミングを説明するタイミングチャートである。
【発明を実施するための形態】
【００１７】
以下、この発明の実施の形態について図面を参照して詳細に説明する。  
【００１８】
本発明の一実施形態に係る水質測定装置１は、一例として、紫外吸光光度法（ＵＶＡ：Ultra  Violet  Absorbing）を使用するもので、ノズルから試料水を自然落下させ、この試料水に直接光を当てて、可視光線と紫外線の吸光度を測定する落下流水２波長吸光度方式の水質自動計測器（有機汚濁モニター）を具体例として説明する。
【００１９】
しかし、本発明は、これに限定されるものではなく、自然落下させた試料水を非接触で光学的に測定する装置であれば、どのような装置に対しても適用することができる。このような装置としては、例えば、測定対象の観点からは濁度計や色度計のような水質測定装置があり、測定方式の観点からは、散乱光や蛍光を測定して水質を分析する装置などがある。
【００２０】
本発明の一実施形態に係る水質測定装置１は、図１に示すように、試料水が供給されるノズル５１と、このノズル５１の内側を洗浄する洗浄ワイパー５２と、ノズル５１からの落下した試料水により形成される水柱に、可視光線または紫外線を照射するＬＥＤ等の光源とこれを保護するセル窓からなる発光部１２と、この水柱に照射された光の透過光を受光するフォトダイオード等の受光素子とこれを保護するセル窓からなる受光部１３と、発光部１２の発光を制御し、受光部１３からの透過光に基づく信号を受け、試料水の水質を判断するＣＰＵ１１を有している。なお、ＣＰＵ１１には、後述する制御部が含まれている。
【００２１】
また、水質測定装置１は、入力機能をもった液晶表示パネル等の表示操作部１４と、発光部１２および受光部１３を覆いかくす開閉可能なシャッター部Ｔ１，Ｔ２と、このシャッター部Ｔ１，Ｔ２をＣＵＰ１１に含まれる制御部（以下「制御部１１」という。）からの制御信号に基づいて駆動するモータ等のシャッター駆動部Ｒと、測定した試料水の水質等の情報を出力する出力部１５と、後述する水位センサ２３を有している。
【００２２】
なお、シャッター駆動部Ｒとシャッター部Ｔ１，Ｔ２の間は、例えば、アームとシャフトで接続され、シャッター駆動部Ｒが駆動することにより、シャッター部Ｔ１，Ｔ２は同時に開閉動作を行うようになっている。
【００２３】
さらに、水質測定装置１は、ノズル５１に試料水を安定的に供給する手段として、図２に示すようなヘッドタンク２２をノズル５１の上流に備えている。ヘッドタンク２２をノズル５１よりも高い位置に配置することにより、差圧によって安定的に試料水をノズル５１に移送することができる。ヘッドタンク２２には、水位センサ２３が設けられており、水位センサ２３からの検出信号は制御部１１に送られ、後に詳述するシャッター部Ｔ１，Ｔ２の開閉動作のトリガとされる。なお、ヘッドタンク２２には、一定の差圧を保つために、一定量を超えた試料水を排水させるためのオーバーフロー管２４が設けられている。
【００２４】
なお、水質測定装置１において、ノズル５１に試料水を安定的に供給する手段としては、図３に示すように、ノズル５１の上流にフローコントローラー２５を備えることもできる。そして、このフローコントローラー２５から、その流量に基づく信号を制御部１１に送り、シャッター部Ｔ１，Ｔ２の開閉動作のトリガとすることができる。
【００２５】
さらに、フローコントローラー２５の代わりに、図示しない定流量バルブと流量計を配置し、この流量計の検出信号を制御部１１に送り、シャッター部Ｔ１，Ｔ２の開閉動作のトリガとすることもできる。
【００２６】
また、ヘッドタンク２２とノズル５１との間に、流量計を配置し、この流量計の検出信号を制御部１１に送り、シャッター部Ｔ１，Ｔ２の開閉動作のトリガとすることもできる。
【００２７】
次に、水質測定装置１のシャッター動作の一例を、図４および図６のタイミングチャートと、図５のフローチャートを用いて、以下に詳細に説明する。
【００２８】
上述のように、水質測定装置１は、ノズル５１に試料水を安定的に供給するようになっているから、通常は、ノズル５１の先端から自然落下する試料水は、乱れなくきれいな形の水柱となる。しかし、自然落下する試料水が流れ始めるときや、一定流量で流れていた試料水の流量が減少して水柱の形が崩れたときには、ノズル５１の先端から試料水が飛び散ってしまうことがある。
【００２９】
そこで、シャッター部Ｔ１，Ｔ２は、ノズル５１の先端部からの飛沫により発光部１２または受光部１３が汚れ、測定上の誤差を生じさせる不具合を防止するために、効果的なタイミングで開閉されることが望ましい。
【００３０】
従って、シャッター部Ｔ１，Ｔ２は、試料水の飛沫が大きく生じる試料水の出始めには閉じられ、その後、水柱の形（流量）が安定したら開かれるようにされ、試料水の中断時または試料水が所定量以下となる不足時には直ちに閉じられることが望ましい。
【００３１】
水質測定装置１の制御部１１は、その記憶領域に格納されたプログラム等に基づき、図４のタイミングチャートおよび図５のフローチャートに示すように水質測定装置１を制御する。
【００３２】
すなわち、電源が投入された当初はシャッター部Ｔ１，Ｔ２を閉じている。制御部１１は、電源投入により起動され、図２に示すヘッドタンク２２の水位センサ２３からの信号、または、図３に示すフローコントローラー２５或いは図示しない流量計からの信号を受け、試料水のレベルが所定量に達していない“オフ”（水不足）から、所定量に達している“オン”（水あり）となったか（または初めから“オン”か）どうかを判断する（Ｓ１１）。
【００３３】
制御部１１は、“オン”であることまたは“オフ”から“オン”になったものと判断すると、所定時間（例えば１０秒）経過後、制御信号をシャッター駆動部Ｒに送って、閉じていたシャッター部Ｔ１，Ｔ２を開く（Ｓ１２）。
【００３４】
これにより、試料水の流れが不安定で飛沫が生じやすい試料水の流れはじめの時間は、シャッター部Ｔ１，Ｔ２が閉じられ、発光部１２または受光部１３の飛沫による汚れを防ぐことができ、試料水の流れが安定するのに伴い、シャッター部Ｔ１，Ｔ２が開かれて、タイミングよく本来の試料水の水質の測定を開始することができる。
【００３５】
さらに、水質測定装置１の制御部１１は、図２のヘッドタンク２２の水位センサ２３または図３のフローコントローラ２５或いは図示しない流量計からの信号に基づいて、試料水が中断または所定量以下となり不足した“オフ”（水不足）と判断すると（Ｓ１３）、直ちに制御信号をシャッター駆動部Ｒに送ってシャッター部Ｔ１，Ｔ２を閉じる（Ｓ１４）。
【００３６】
これにより、試料水の中断または不足により、ノズル５１の先端部から飛沫が飛ぶおそれがあるときには、直ちにシャッター部Ｔ１，Ｔ２が閉じられ、発光部１２や受光部１３の飛沫による汚れを防ぐことができる。
【００３７】
また、シャッター部Ｔ１，Ｔ２が閉じられている間は、発光部１２からの光は受光部１３に届かないため、試料水の水質を測定することができない。このため、水質測定装置１は、シャッター部Ｔ１，Ｔ２の開閉状態を示す信号を出力し、測定状態を報知するようになっていることが望ましい。
【００３８】
そこで、図４のタイミングチャートに示すように、試料水の断水または不足によりシャッター部Ｔ１，Ｔ２が閉じている間は、制御部１１は、シャッター部Ｔ１，Ｔ２が閉状態であることを示す信号を出力部１５等に出力する。この信号は、出力部１５等に接続された外部のモニタ装置やＰＣや表示装置に送られ、現在、シャッターが閉じられているため測定ができない等の水質測定装置１の状況をユーザに知らせることができる。
【００３９】
さらに、他の実施形態として、シャッター部Ｔ１，Ｔ２の開閉動作を、洗浄ワイパー５２を用いてノズル５１内を洗浄する洗浄タイミングに応じて開閉するように構成することもできる。すなわち、制御部１１は、図６のタイミングチャートに示すように、あらかじめ定められた洗浄周期により、或いは表示操作部１４等から洗浄命令信号を受けて洗浄を開始する場合、これに応じて、モータ等のシャッター駆動部Ｒに制御信号を送って、シャッター部Ｔ１，Ｔ２を閉じ、その後、洗浄ワイパー５２を上下動させてノズル５１内の洗浄を開始する。
【００４０】
これにより、水質測定装置１は、洗浄に先立ってシャッター部Ｔ１，Ｔ２を閉じるため、洗浄により飛び散った洗浄液や汚水等の飛沫が発光部１２や受光部１３のセル窓等を汚して、測定結果に誤差を生じさせるという不具合を回避することが可能となる。
【００４１】
以上記載した様々な実施形態は複数同時に実施することが可能である。また、本発明は、開示された原理と新規な特徴に矛盾しない広範な範囲に及ぶものであり、上述した実施形態に限定されるものではない。
【符号の説明】
【００４２】
１…水質測定装置、１１…ＣＰＵ（制御部）、１２…発光部、１３…受光部、１４…表示操作部、１５…出力部、２３…水位センサ、Ｒ…シャッター駆動部、Ｔ１，Ｔ２…シャッター部、５１…ノズル、５２…洗浄ワイパー。
【図１】
2014059214.tif 000003
【図２】
2014059214.tif 000004
【図３】
2014059214.tif 000005
【図４】
2014059214.tif 000006
【図５】
2014059214.tif 000007
【図６】
2014059214.tif 000008